(57)【要約】【課題】種々の用途に対応することができるペット用ベッドを提供する。【解決手段】ペット用ベッド１０は、底面部１１、側壁部１２ａ〜１２ｄおよび保持部１４ａ，１４ｂを備える。側壁部１２ａ〜１２ｄは、底面部１１に対して立った状態で底面部１１の外縁に設けられ、底面部１１の全周囲を囲む。保持部１４ａ，１４ｂは、側壁部１２ａが底面部１１に対して立った状態を保持し、保持状態または非保持状態となる。側壁部１２ａは、可撓性を有するシート帯１３が折り畳まれることにより形成される。シート帯１３は、底面部１１の外縁に取り付けられる第１端部と、シート帯１３の第１端部に対向し、保持部１４ａ，１４ｂが非保持状態のとき自由端となる第２端部とを有する。【選択図】図１
2015109819.tif 000002
【特許請求の範囲】
【請求項１】
底面部と、
前記底面部に対して立った状態で前記底面部の外縁に設けられ、前記底面部の全周囲を囲む第１側壁部および第２側壁部と、
前記第１側壁部が前記底面部に対して立った状態を保持し、保持状態または非保持状態となる第１保持部とを備え、
前記第１側壁部は、可撓性を有するシート帯が折り畳まれることにより形成され、
前記シート帯は、前記底面部の外縁に取り付けられる第１端部と、前記シート帯の第１端部に対向し、前記第１保持部が非保持状態であるとき自由端となる第２端部とを有する、ペット用ベッド。
【請求項２】
前記シート帯は、前記シート帯の主面に設けられる袋部を有し、
前記袋部は、前記シート帯の主面に平行な方向に出入りできる開口部を有する、請求項１に記載のペット用ベッド。
【請求項３】
前記袋部は前記シート帯の両主面に設けられる、請求項２に記載のペット用ベッド。
【請求項４】
前記第２側壁部が前記底面部に対して立った状態を保持し、保持状態または非保持状態となる第２保持部を備え、
前記第２側壁部は、複数設けられており、平坦な形状を有し、
前記第２側壁部は、前記底面部の外縁に取り付けられる第１端部と、前記第２側壁部の第１端部に対向し、前記第２保持部が非保持状態であるとき自由端となる第２端部とを有する、請求項１ないし３のいずれかに記載のペット用ベッド。
【発明の詳細な説明】
【技術分野】
【０００１】
本発明は、犬や猫等のペットが使用するペット用ベッドに関する。
【背景技術】
【０００２】
従来から、犬や猫等のペットが使用するペット用ベッドとして、種々のものが提案されている。例えば、特許文献１には、ラウンド型のペット用ベッドが開示されている。このペット用ベッドでは、ベッド基体にカバーが掛けられ、ベッド面にデザインマットが敷かれている。また、特許文献２には、ペット用保温マットが開示されている。このペット用保温マットでは、積層された断熱シートおよび保温部材がカバー袋に収納されている。
【先行技術文献】
【特許文献】
【０００３】
【特許文献１】登録実用新案第３０１９６８２号公報
【特許文献２】特開２００９−１３６１７６号公報
【発明の概要】
【発明が解決しようとする課題】
【０００４】
ほとんどの場合、飼い主は、ペットに対してペット用ベッドを試すまで、ペットがどのようなペット用ベッドを好むかをわからない。このため、飼い主が購入したペット用ベッドをペットが気に入らない場合がある。また、日中や睡眠中等の状況に応じて、ペットが望むペット用ベッドの種類が変わる場合がある。特許文献１または２では、別の種類のペット用ベッドを購入しない限り、このような場合に対応することができない。
【０００５】
本発明の目的は、種々の用途に対応することができるペット用ベッドを提供することにある。
【課題を解決するための手段】
【０００６】
本発明のペット用ベッドは、底面部、第１側壁部、第２側壁部および第１保持部を備える。第１側壁部および第２側壁部は、底面部に対して立った状態で底面部の外縁に設けられ、底面部の全周囲を囲む。第１保持部は、第１側壁部が底面部に対して立った状態を保持し、保持状態または非保持状態となる。第１側壁部は、可撓性を有するシート帯が折り畳まれることにより形成される。シート帯は、底面部の外縁に取り付けられる第１端部と、シート帯の第１端部に対向し、第１保持部が非保持状態のとき自由端となる第２端部とを有する。
【０００７】
この構成では、第１保持部を保持状態にすることにより、ペット用ベッドを第１形状にすることができる。第１形状のペット用ベッドを、側壁を有する一般的なペット用ベッドとして使用することができる。また、第１保持部を非保持状態にしてシート帯を展開することにより、ペット用ベッドを第２形状にすることができる。第２形状のペット用ベッドをペット用マットとして使用することができる。
【０００８】
本発明のペット用ベッドでは、シート帯はシート帯の主面に設けられる袋部を有し、袋部はシート帯の主面に平行な方向に出入りできる開口部を有することが好ましい。
【０００９】
この構成では、第２形状のペット用ベッドをペット用寝袋として使用することができる。
【００１０】
本発明のペット用ベッドでは、袋部はシート帯の両主面に設けられることが好ましい。
【００１１】
この構成では、第２形状のペット用ベッドにおいて、第１主面の袋部をペット用寝袋として使用し、第２主面の袋部に保温シートや保冷シート等を挿入することができる。これにより、第１主面の袋部内でくつろぐペットの体温維持を補助することができる。
【００１２】
本発明のペット用ベッドは次のように構成されることが好ましい。本発明のペット用ベッドは、第２側壁部が底面部に対して立った状態を保持し、保持状態または非保持状態となる第２保持部を備える。第２側壁部は、複数設けられており、平坦な形状を有する。第２側壁部は、底面部の外縁に取り付けられる第１端部と、第２側壁部の第１端部に対向する第２端部とを有する。第２側壁部の第２端部は、第２保持部が非保持状態であるとき、自由端となる。
【００１３】
この構成では、第１保持部および第２保持部を非保持状態にすることにより、ペット用ベッドを平坦な形状にすることができる。これにより、ペット用ベッドの収納、掃除、洗濯等を容易に行うことができる。
【発明の効果】
【００１４】
本発明によれば、ペット用ベッドを、側壁を有する一般的なペット用ベッドとしても、ペット用マットとしても使用することができる。
【図面の簡単な説明】
【００１５】
【図１】平面側から見た第１形状のペット用ベッド１０を示す外観斜視図である。
【図２】底面側から見た第１形状のペット用ベッド１０を示す外観斜視図である。
【図３】第１形状のペット用ベッド１０を示す側面断面図である。
【図４】保持部１５ａ，１５ｂを説明する説明図である。
【図５】保持部１４ａ，１４ｂを説明する説明図である。
【図６】第２形状のペット用ベッド１０を示す外観斜視図である。
【図７】シート帯１３を示す側面断面図である。
【図８】第３形状のペット用ベッド１０を示す外観斜視図である。
【図９】ソファ４１に置かれた第２形状のペット用ベッド１０を示す斜視図である。
【発明を実施するための形態】
【００１６】
本発明の実施形態に係るペット用ベッド１０について説明する。ペット用ベッド１０は犬や猫等のペットにより使用される。図１は、平面側から見た第１形状のペット用ベッド１０を示す外観斜視図である。図２は、底面側から見た第１形状のペット用ベッド１０を示す外観斜視図である。図３は、第１形状のペット用ベッド１０を示す側面断面図である。第１形状のペット用ベッド１０はスクエア型ベッドである。ペット用ベッド１０は、底面部１１、側壁部１２ａ〜１２ｄ、保持部１４ａ，１４ｂ，１５ａ，１５ｂを備える。
【００１７】
側壁部１２ａは本発明の第１側壁部に相当する。側壁部１２ｂ〜１２ｄは本発明の第２側壁部に相当する。保持部１４ａ，１４ｂは本発明の第１保持部に相当する。保持部１５ａ，１５ｂは本発明の第２保持部に相当する。
【００１８】
底面部１１は略矩形状の主面および所定の厚みを有する。底面部１１は、主面の中心付近で厚くなっており、弾性芯材を生地で包み込むことにより形成されている。弾性芯材として、例えば、ウレタンフォームや綿等が使用される。生地として、例えば、ボア生地やフリース生地等が使用される。ペットは底面部１１の上でくつろぐことができる。
【００１９】
側壁部１２ｂ〜１２ｄは、その寸法を除いて、底面部１１と同様に形成されている。以下では、略矩形状の主面および所定の厚みを有する部材について、部材の主面の長辺（短辺）を単に「部材の長辺（短辺）」と称する。側壁部１２ｂ〜１２ｄの短辺は互いに等しい長さを有している。側壁部１２ｂ，１２ｃの長辺および底面部１１の短辺は互いに等しい長さを有している。側壁部１２ｄの長辺および底面部１１の長辺は互いに等しい長さを有している。
【００２０】
側壁部１２ｂ〜１２ｄは底面部１１の外縁から延設されている。側壁部１２ｂは、側壁部１２ｂの長辺が底面部１１の第１短辺に一致するように配置されている。側壁部１２ｃは、側壁部１２ｃの長辺が底面部１１の第２短辺（第１短辺に対向する辺）に一致するように配置されている。側壁部１２ｄは、側壁部１２ｄの長辺が底面部１１の第１長辺に一致するように配置されている。
【００２１】
側壁部１２ｂ，１２ｄは、側壁部１２ｂの短辺（側壁部１２ｄ側）と側壁部１２ｄの短辺（側壁部１２ｂ側）とが近接した状態で、保持部１５ａにより固定されている。側壁部１２ｃ，１２ｄは、側壁部１２ｃの短辺（側壁部１２ｄ側）と側壁部１２ｄの短辺（側壁部１２ｃ側）とが近接した状態で、保持部１５ｂにより固定されている。これにより、側壁部１２ｂ〜１２ｄの主面は底面部１１の主面に略垂直となる。
【００２２】
側壁部１２ａはシート帯１３からなる。シート帯１３はマット用シート帯３１および袋用シート帯３２ａ，３２ｂ（図６、図７参照）を有する。シート帯１３の構成の詳細については後述する。シート帯１３は、略矩形状の主面およびほぼ均等な厚みを有し、厚み方向に可撓性を有する。シート帯１３の短辺の長さは底面部１１の長辺の長さに等しくなっている。シート帯１３の主面の面積は底面部１１の主面の面積に比べて広くなっている。シート帯１３は側壁部１２ｂ〜１２ｄに比べて薄くなっている。シート帯１３は、底面部１１の外縁から延設され、シート帯１３の短辺が底面部１１の第２長辺（第１長辺に対向する辺）に一致するように配置されている。
【００２３】
シート帯１３はその長手方向に沿ってロール状に巻かれている。すなわち、シート帯１３はその長手方向に沿って折り畳まれている。シート帯１３の主面のうち、シート帯１３を広げたときに底面側となる主面が、ロール状のシート帯１３の表面（外面）を形成している。ロール状のシート帯１３は保持部１４ａ，１４ｂにより側壁部１２ａ，１２ｂに固定され、その端部は側壁部１２ｂ，１２ｃの端面に押し当てられる。これにより、ロール状のシート帯１３は平坦な形状に潰される。また、そのロール状態は緩むことがなくなる。
【００２４】
このようにして、シート帯１３から側壁部１２ａが形成される。側壁部１２ａは、側壁部１２ｄとほぼ同一の形状および大きさを有する。側壁部１２ａは、側壁部１２ａの長辺が底面部１１の第２長辺に一致するように配置されている。側壁部１２ｄの主面は底面部１１の主面に略垂直になっている。
【００２５】
側壁部１２ａ〜１２ｄから略枠状の周壁が形成されている。周壁は、底面部１１の平面側の主面に底面部１１の外縁に沿って配置されており、開口部１６の面積が底面部１１の主面の面積に比べて幾分広くなるように形成されている。
【００２６】
底面部１１および側壁部１２ｂ〜１２ｄの主面のうち、第１形状のペット用ベッド１０の内側となる面に、毛足の長いボア生地を用いることが好ましい。これにより、ペットが横になる際の肌触りを良くすることができる。
【００２７】
図４は、保持部１５ａ，１５ｂを説明する説明図である。保持部１５ａ，１５ｂは、上述のように、側壁部１２ｂ〜１２ｄが底面部１１に対して立った状態を保持する。保持部１５ａ，１５ｂは保持状態または非保持状態をとることができる。
【００２８】
保持部１５ａは紐２１，２２を有する。紐２１の第１端は、側壁部１２ｂの角（コーナー）のうち、開口部１６（図１参照）側かつ側壁部１２ｄ側の角に取り付けられている。紐２１の第２端は自由端となっている。紐２２の第１端は、側壁部１２ｄの角のうち、開口部１６側かつ側壁部１２ｂ側の角に取り付けられている。紐２２の第２端は自由端となっている。紐２１と紐２２とが結ばれることで、側壁部１２ｂ，１２ｄの角は互いに固定される。保持部１５ｂは保持部１５ａと同様に構成されている。このような保持部１５ａ，１５ｂでは、側壁部１２ｂ〜１２ｄは確実に固定され、側壁部１２ｂ〜１２ｄからなる構造は変形しにくくなる。
【００２９】
図５は、保持部１４ａ，１４ｂを説明する説明図である。保持部１４ａ，１４ｂは、上述のように、側壁部１２ａが底面部１１に対して立った状態を保持する。保持部１４ａ，１４ｂは保持状態または非保持状態をとることができる。
【００３０】
保持部１４ａは、帯状のバンド２６、ボタン２７およびボタンホール２８を有する。バンド２６の第１端は、側壁部１２ｂの短辺（側壁部１２ａ側）付近、かつ、側壁部１２ｂの外側面に取り付けられている。ボタン２７は、側壁部１２ａの短辺（側壁部１２ｂ側）付近、かつ、側壁部１２ａの外側面に取り付けられている。ボタンホール２８はバンド２６の第２端に設けられている。ボタン２７をボタンホール２８に通すことで、側壁部１２ａは側壁部１２ｂに固定される。保持部１４ｂは保持部１４ａと同様に構成されている。このような保持部１４ａ，１４ｂでは、保持状態と非保持状態との間の切り換えが容易である。このため、第１形状のペット用ベッド１０を後述の第２形状のペット用ベッド１０に変形させることおよびその逆を容易に行うことができる。
【００３１】
なお、ボタン２７およびボタンホール２８の代わりに面ファスナーやスナップ等を用いてもよい。この場合でも、同様の効果を得ることができる。
【００３２】
図６は、第２形状のペット用ベッド１０を示す外観斜視図である。第２形状のペット用ベッド１０では保持部１４ａ，１４ｂが非保持状態となっている。シート帯１３の第１端部は底面部１１の外縁に取り付けられている。シート帯１３の第１端部に対向するシート帯１３の第２端部は自由端となっている。シート帯１３は、ペット用ベッド１０が置かれた床面等に展開されている（広げられている）。底面部１１およびシート帯１３は１つの平面を形成している。
【００３３】
図７は、シート帯１３を示す側面断面図である。上述のように、シート帯１３はマット用シート帯３１および袋用シート帯３２ａ，３２ｂを有する。マット用シート帯３１は略矩形状の主面およびほぼ均等な厚みを有する。マット用シート帯３１は、ボア生地やフリース生地等で綿等を包みこむことにより形成されている。マット用シート帯３１の短辺の長さは底面部１１の長辺の長さに等しくなっている。マット用シート帯３１の主面の面積は底面部１１の主面の面積に比べて広くなっている。マット用シート帯３１は、底面部１１の外縁から延設され、その短辺が底面部１１の長辺に一致するように配置されている。
【００３４】
袋用シート帯３２ａ，３２ｂは略矩形状の主面およびほぼ均等な厚みを有する。袋用シート帯３２ａ，３２ｂは、ボア生地やフリース生地等で綿等を包みこむことにより形成されている。袋用シート帯３２ａ，３２ｂはマット用シート帯３１に比べて薄くなっている。袋用シート帯３２ａはマット用シート帯３１の第１主面（平面側）に配置され、袋用シート帯３２ｂはマット用シート帯３１の第２主面（底面側）に配置されている。袋用シート帯３２ａ，３２ｂは、マット用シート帯３１の端部（底面部１１側）付近を除いて、マット用シート帯３１の主面をほぼ覆っている。袋用シート帯３２ａ，３２ｂの外縁は、底面部１１側の外縁を除いて、マット用シート帯３１に縫い付けられている。これにより、マット用シート帯３１の第１主面に袋部３６ａが形成される。マット用シート帯３１の第２主面に袋部３６ｂが形成される。袋部３６ａは、底面部１１側から出入りできる開口部３７ａを有する。袋部３６ｂは、底面部１１側から出入りできる開口部３７ｂを有する。すなわち、袋部３６ａ，３６ｂは、シート帯１３の主面に平行な方向に出入りできる開口部３７ａ，３７ｂを有する。
【００３５】
第２形状のペット用ベッド１０では、ペットは底面部１１および展開されたシート帯１３の上でくつろぐことができる。すなわち、第２形状のペット用ベッド１０では、ペットは、側壁部１２ａ〜１２ｄに囲まれない広い場所でくつろぐことができる。このように、第２形状のペット用ベッド１０をペット用マットとして使用することができる。この際、ペットは側壁部１２ａ〜１２ｃにあごを乗せて休息することができる。すなわち、第２形状のペット用ベッド１０では、側壁部１２ａ〜１２ｃをあご置きとして使用することができる。また、袋部３６ａまたは３６ｂに保温シートや保冷シート等を挿入することにより、シート帯１３の上でくつろぐペットの体温維持を補助することができる。
【００３６】
また、ペットは開口部３７ａから袋部３６ａに潜り込むことができる。すなわち、第２形状のペット用ベッド１０をペット用寝袋として使用することができる。この際、袋部３６ｂに保温シートや保冷シート等を挿入することにより、袋部３６ａ内でくつろぐペットの体温維持を補助することができる。
【００３７】
図８は、第３形状のペット用ベッド１０を示す外観斜視図である。第３形状のペット用ベッド１０では保持部１４ａ，１４ｂ，１５ａ，１５ｂが非保持状態となっている。側壁部１２ｂ〜１２ｄの第１端部は底面部１１の外縁に取り付けられている。側壁部１２ｂ〜１２ｄの第１端部に対向する側壁部１２ｂ〜１２ｄの第２端部は自由端となっている。側壁部１２ｂ〜１２ｄおよびシート帯１３は、ペット用ベッド１０が置かれた床面等に展開されている（広げられている）。底面部１１、側壁部１２ａ〜１２ｃおよびシート帯１３は１つの平面を形成している。
【００３８】
第２形状のペット用ベッド１０と同様に、第３形状のペット用ベッド１０を、ペット用マットまたはペット用寝袋として使用することができる。また、第３形状のペット用ベッド１０では、ペット用ベッド１０の形状が平坦となるため、ペット用ベッド１０の収納、掃除、洗濯等を容易に行うことができる。
【００３９】
図９は、ソファ４１に置かれた第２形状のペット用ベッド１０を示す斜視図である。ペット用ベッド１０はソファ４１の座面に置かれている。シート帯１３はソファ４１の前面を覆うように垂れている。図９のようにペット用ベッド１０をソファ４１に置くことにより、ペットが、ソファ４１を昇り降りする際に、ソファ４１の前面の生地を引っ掻いたり、汚したりすることを防止または軽減することができる。
【００４０】
本実施形態では、上述のように、第１形状のペット用ベッド１０をスクエア型のペット用ベッドとして使用することができる。第２形状のペット用ベッド１０をペット用マットまたはペット用寝袋として使用することができる。また、第１形状のペット用ベッドを第２形状のペット用ベッドに変形させることおよびその逆を容易に行うことができる。
【００４１】
なお、上述の実施形態は本発明の一例であり、本発明は上述の実施形態に限定されない。
【００４２】
本実施形態に係る第１形状のペット用ベッド１０はスクエア型ベッドであるが、本発明はこれに限定されない。例えば、本発明のペット用ベッドはラウンド型ベッドでもよい。この場合、底面部の主面が略円形であり、底面部の外縁の一部分にシート帯が形成され、底面部の外縁の他の部分に側壁部が形成される。
【００４３】
また、本実施形態では、シート帯１３は１箇所にのみ設けられているが、本発明はこれに限定されない。シート帯は複数箇所に設けられてもよい。
【００４４】
また、本実施形態に係る第１形状のペット用ベッド１０では、シート帯１３をロール状に巻いているが、本発明はこれに限定されない。２つ折りを繰り返してシート帯１３を折り畳んでもよい。
【００４５】
また、本発明のシート帯の形状および大きさは、シート帯を折り畳んで側壁部を形成することができる限り、本実施形態に係るものに限定されない。
【００４６】
また、本発明の保持部は、側壁部が底面部に対して立った状態を保持することができる限り、本実施形態に係るものに限定されない。
【符号の説明】
【００４７】
１０…ペット用ベッド
１１…底面部
１２ａ〜１２ｄ…側壁部
１３…シート帯
１４ａ，１４ｂ，１５ａ，１５ｂ…保持部
１６，３７ａ，３７ｂ…開口部
２１，２２…紐
２６…バンド
２７…ボタン
２８…ボタンホール
３１…マット用シート帯
３２ａ，３２ｂ…袋用シート帯
３６ａ，３６ｂ…袋部
４１…ソファ
【図１】
2015109819.tif 000003
【図２】
2015109819.tif 000004
【図３】
2015109819.tif 000005
【図４】
2015109819.tif 000006
【図５】
2015109819.tif 000007
【図６】
2015109819.tif 000008
【図７】
2015109819.tif 000009
【図８】
2015109819.tif 000010
【図９】
2015109819.tif 000011